(57)【要約】【課題】電子機器の筐体に内蔵された充電池に対して確実、かつ、容易に充電を行える電子機器用充電アダプタを提供する。【解決手段】電子機器用充電アダプタ１０は、第１筐体１２の裏面１２Ｂに当接可能な第１接触部４４を有する第１部材２６と、第１筐体の表面１２Ａに当接可能な第２接触部４８を有する第２部材２７と、第１接触部および第２接触部が互いに近付くように付勢する付勢部材２８と、第１部材に設けられて第１筐体の端面１２Ｃに当接可能な第３部材３１と、第１部材に設けられて一対の充電端子２２に接触可能な一対の給電端子３３Ａと、第１部材に設けられて一対の凹部２１の開口縁２３に接触可能な一対の突部３５とを備えている。【選択図】図３
2011228164.tif 000002
【特許請求の範囲】
【請求項１】
所定厚み寸法を有する板状の筐体と、
前記筐体に内蔵された充電池と、
前記筐体の厚み方向の裏面に設けられた凹部と、
前記各凹部の底部に露出する充電端子と、を備える電子機器の前記充電端子に対して給電するために、
前記筐体の前記裏面に当接可能な第１接触部を有する第１部材と、
前記筐体の前記裏面とは反対側の表面に当接可能な第２接触部を有する第２部材と、
前記第１接触部および前記第２接触部が互いに近付くように前記第１部材および前記第２部材を相対的に付勢する付勢部材と、
前記第１部材に設けられ、前記各充電端子に接触可能な給電端子と、
前記第１部材に設けられ、前記第１部材に対して前記第１接触部及び前記第２接触部の間から引き抜かれる方向の力がかかった場合に前記凹部の開口縁に接触可能な突起と、を備える電子機器用充電アダプタ。
【請求項２】
請求項１に記載の電子機器用充電アダプタであって、
前記第１部材および前記第２部材のうちの少なくとも一方に設けられ、前記筐体における前記表面、前記裏面および前記端面に隣り合う側面に当接可能なガイド部を備え、
前記ガイド部は前記第１部材および前記第２部材の少なくとも一方に対して、着脱可能に構成される電子機器用充電アダプタ。
【請求項３】
請求項１または請求項２に記載の電子機器用充電アダプタであって、
前記給電端子を一対有し、
前記突起が、前記各給電端子間に配置されている電子機器用充電アダプタ。
【請求項４】
請求項１ないし請求項３のうちのいずれかに記載の電子機器用充電アダプタであって、
前記突起の輪郭形状が先端に向かう先細りである電子機器用充電アダプタ。
【発明の詳細な説明】
【技術分野】
【０００１】
本発明は、電子機器の充電端子に給電端子を接触させて充電端子に接続された充電池を給電する電子機器用充電アダプタに関する。
【背景技術】
【０００２】
従来、携帯電話等の電子機器において、筐体に内蔵された充電池を充電するにあたっては、筐体を保持する置台に電子機器を保持させる形態が広く知られている。
置台は、ＡＣアダプタにより降圧させた商用電源に接続された給電端子を有し、給電端子が電子機器の筐体に設けられた充電端子に接触することにより、充電池に充電を行う。
また、近年では、電子機器から充電池を取り出し、充電池を厚み方向に挟持するとともに、充電池の充電端子に接触する給電端子を備えた電子機器用充電アダプタが提案されている（例えば、非特許文献１、非特許文献２）。
【先行技術文献】
【非特許文献】
【０００３】
【非特許文献１】株式会社プラタ、ウォッチミー楽天市場店、“USBマルチクリップチャージャー（キーホルダータイプ）バッテリーを挟んでUSBに接続するだけ！カンタン充電器”、［online］html作成日不明、楽天市場、［平成２２年４月９日検索］、インターネット＜URL：http://item.rakuten.co.jp/watch-me/wm-903/＞
【非特許文献２】株式会社プラタ、ウォッチミー楽天市場店、“USBマルチクリップチャージャー（キーホルダータイプ）バッテリーを挟んでUSBに接続するだけ！カンタン充電器”、［online］html作成日不明、楽天市場、［平成２２年４月９日検索］、インターネット＜URL：http://item.rakuten.co.jp/watch-me/ch007ch008/＞
【発明の概要】
【発明が解決しようとする課題】
【０００４】
しかしながら、非特許文献１，非特許文献２に示された電子機器用充電アダプタは、充電池を電子機器から取り出した上で充電する必要があり、煩雑である。ここで、電子機器に対して、非特許文献１および非特許文献２のような充電アダプタを用いることを考えると、電子機器がアダプタから脱落しないようにする何らかの工夫が必要となる。しかし、電子機器のデザインの自由度を確保するためには、抜け止めのために余分な突起や凹部を設けることは望ましくない。
【０００５】
本発明は、前述した課題を解決するためになされたものであり、その目的は、電子機器の筐体に内蔵された充電池に対して電子機器自体を厚み方向に挟持する場合であっても、電子機器に対して余分な追加構成を設けることなく、脱落を防止することができる電子機器用充電アダプタを提供することにある。
【課題を解決するための手段】
【０００６】
本発明は、所定厚み寸法を有する板状の筐体と、前記筐体に内蔵された充電池と、前記筐体の厚み方向の裏面に設けられた凹部と、前記各凹部の底部に露出する充電端子と、を備える電子機器の前記充電端子に対して給電するために、前記筐体の前記裏面に当接可能な第１接触部を有する第１部材と、前記筐体の前記裏面とは反対側の表面に当接可能な第２接触部を有する第２部材と、前記第１接触部および前記第２接触部が互いに近付くように前記第１部材および前記第２部材を相対的に付勢する付勢部材と、前記第１部材に設けられ、前記各充電端子に接触可能な給電端子と、前記第１部材に設けられ、前記第１部材に対して前記第１接触部及び前記第２接触部の間から引き抜かれる方向の力がかかった場合に前記凹部の開口縁に接触可能な突起と、を備える。
【発明の効果】
【０００７】
本発明によれば、第１部材に突部を設け、その突部を、第１部材に対して第１接触部及び第２接触部の間から引き抜かれる方向の力がかかった場合に電子機器の凹部の開口縁に接触させる。すなわち、充電のために電子機器に既に設けられている穴を用いて脱落を防止するので、電子機器に対して余分な追加構成を設けることなく、脱落を防止することができるという効果を有する。
【図面の簡単な説明】
【０００８】
【図１】本発明に係る第１実施形態の電子機器用充電アダプタで充電する電子機器を示す斜視図
【図２】図２の電子機器の充電端子を示す斜視図
【図３】第１実施形態の電子機器用充電アダプタを示す斜視図
【図４】図３の電子機器用充電アダプタを示す分解斜視図
【図５】図５（Ａ）は電子機器用充電アダプタから電子機器を外した状態を示す側面図、図５（Ｂ）は電子機器用充電アダプタに電子機器をセットした状態を示す側面図
【図６】第１実施形態の電子機器用充電アダプタの一対の突部を示す斜視図
【図７】図５（Ｂ）のＡ−Ａ線断面図
【図８】図７のＢ−Ｂ線断面図
【図９】本発明に係る第２実施形態の電子機器用充電アダプタを示す側面図
【発明を実施するための形態】
【０００９】
以下、本発明の複数の実施形態に係る電子機器用充電アダプタについて図面を参照して説明する。
【００１０】
（第１実施形態）
図１（Ａ），（Ｂ）に示すように、本発明の第１実施形態である電子機器用充電アダプタ１０は、電子機器１１に内蔵された充電池１４（図２参照）を給電する充電用のアダプタである。
電子機器１１は、所定厚み寸法Ｔ１を有する板状の第１筐体（筐体）１２と、所定厚み寸法Ｔ２を有する板状の第２筐体１３とを備え、第１筐体１２および第２筐体１３がスライド自在に連結されたスライド式の携帯端末である。
【００１１】
この電子機器１１は、第１筐体１２および第２筐体１３が相対的に積層された閉状態（図１（Ａ）参照）と、第１筐体１２および第２筐体１３が伸長された開状態（図１（Ｂ）参照）とを取り得る。
第１筐体１２は、第１筐体１２の厚み方向の表面１２Ａに操作部１６が設けられている。
第２筐体１３は、第２筐体１３の厚み方向の表面１３Ａに表示部１８が設けられている。
【００１２】
さらに、図２に示すように、電子機器１１は、第１筐体１２に内蔵された充電池１４と、第１筐体１２の厚み方向の裏面１２Ｂに設けられた一対の凹部２１と、各凹部２１の底部にそれぞれ露出する一対の充電端子２２とを備えている。
一対の充電端子２２は充電池１４に接続されている。
第１筐体１２は、表面１２Ａおよび裏面１２Ｂに隣り合う端面１２Ｃと、表面１２Ａ、裏面１２Ｂおよび端面１２Ｃに隣り合う側面１２Ｄとを有する。
凹部２１は、開口縁２３を有する。この開口縁２３は、第１筐体１２の幅方向に所定間隔をおいて設けられた内外の縁部２３Ａ，２３Ｂと、第１筐体１２の長手方向に所定間隔をおいて設けられた前後の縁部２３Ｃ，２３Ｄとで略矩形状に形成されている。
【００１３】
図３、図４に示すように、電子機器用充電アダプタ１０は、第１筐体１２に備えた一対の充電端子２２（図２参照）に対して給電するためのアダプタである。
この電子機器用充電アダプタ１０は、第１部材２６と、第２部材２７と、第１部材２６および第２部材２７を相対的に付勢する付勢部材２８（図４参照）と、第１部材２６に設けられた第３部材３１と、第１部材２６の内部に設けられた一対の給電端子３３Ａと、第１部材２６から第２部材２７に向けて突出された一対の突部３５と、第１部材２６に着脱自在に設けられたガイド部３７とを備えている。
【００１４】
第１部材２６は、略矩形体状に形成された筐体であって、内部にコネクタ３９、一対の端子ばね３３、レバー４１および圧縮ばね４２が収納され、上面２６Ａに第１筐体１２の裏面１２Ｂに当接可能な一対の第１接触部４４と、第１筐体１２の端面１２Ｃに当接可能な一対の位置決め部４５とを有する。
一対の端子ばね３３は、各基端部３３Ｂがコネクタ３９に接続され、各先端部に給電端子３３Ａがそれぞれ設けられている。
【００１５】
レバー４１は、回動軸４１Ａを介して第１部材２６内に回動自在に設けられ、水平部４１Ｂおよび鉛直部４１Ｃで側面視略Ｌ字型に形成された部材である。
レバー４１の水平部４１Ｂおよび第１部材２６の上面２６Ａとの間に圧縮ばね４２が介在されることにより、圧縮ばね４２のばね力でレバー４１の水平部４１Ｂを第１部材２６の上面２６Ａから離れる方向に向けて付勢されている。
【００１６】
レバー４１は、先端部に一対の係止部４１Ｄが設けられ、上端部４１Ｅに第３部材３１が設けられている。
図５（Ａ），（Ｂ）に示すように、一対の係止部４１Ｄは、一対の端子ばね３３に上方から係止されている。一対の係止部４１Ｄが一対の端子ばね３３に上方から係止することにより、一対の端子ばね３３が上昇することを抑え、一対の給電端子３３Ａを第１部材２６の上面２６Ａから突出しない待機位置（図５（Ａ）参照）に保持できる。
【００１７】
第１部材２６の上面２６Ａに一対の突部３５が一体に形成されている。
一対の突部３５は、一対の凹部２１を充電位置に案内するための部材である。
また、第１部材２６の上面２６Ａには一対の第１接触部４４が設けられている。
図４に示すように、一対の第１接触部４４は、第１部材２６の上面２６Ａにおいて、一対の給電端子３３Ａの外側の部位から第２部材２７に向けて隆起され、頂部が第１筐体１２の裏面１２Ｂに当接可能に平坦に形成されている。
第１部材２６に第２部材２７が支持ピン４６（図５も参照）を介して回動自在に連結されている。
【００１８】
第２部材２７は、略矩形状に形成された板状の部材であって、第１筐体１２の裏面１２Ｂとは反対側の表面１２Ａに当接可能な第２接触部４８を有する。
第２接触部４８は、第２部材２７の先端部２７Ａに連結ピン４９を介して回動自在に連結されることにより一対の第１接触部４４に対向する位置に配置されている。
この第２接触部４８は、一対の第１接触部４４に対向する面が第１筐体１２の表面１２Ａ（図３参照）に当接可能に平坦に形成されている。
【００１９】
図４、図５に示すように、付勢部材２８は、一対のコイル部２８Ａが支持ピン４６に設けられ、一対の一端部２８Ｂが第２部材２７に係止され、他端部２８Ｃが第１部材２６に係止されたコイルばねである。
支持ピン４６に付勢部材２８（一対のコイル部２８Ａ）を設けることにより、第１接触部４４および第２接触部４８が互いに近付くように第１部材２６および第２部材２７を相対的に付勢できる。
【００２０】
第３部材３１は、レバー４１の上端部４１Ｅに設けられることにより、レバー４１を介して第１部材２６に設けられている。
この第３部材３１は、第１部材２６の上面２６Ａから第２部材２７に向けて突出されることにより第１筐体１２の端面１２Ｃ（図３参照）に当接可能な部材である。
第３部材３１に第１筐体１２の端面１２Ｃに当接することにより、レバー４１を圧縮ばね４２のばね力に抗してレバー４１を時計回り方向に回動できる。
【００２１】
レバー４１を時計回り方向に回動することにより、レバー４１の水平部４１Ｂを第１部材２６の上面２６Ａに向けて移動できる。
レバー４１の水平部４１Ｂ（すなわち、一対の係止部４１Ｄ）を第１部材２６の上面２６Ａに向けて移動することにより、一対の端子ばね３３を上方に移動させて一対の給電端子３３Ａを第１部材２６の上面２６Ａから突出させる充電位置（図５（Ｂ）参照）に移動できる。
【００２２】
一方、第３部材３１から第１筐体１２の端面１２Ｃを除去することにより、レバー４１を圧縮ばね４２のばね力で反時計回り方向に回動できる。
レバー４１を反時計回り方向に回動することにより、レバー４１の水平部４１Ｂを第１部材２６の上面２６Ａから離す方向に向けて移動できる。
レバー４１の水平部４１Ｂ（すなわち、一対の係止部４１Ｄ）を第１部材２６の上面２６Ａから離す方向に向けて移動することにより、一対の端子ばね３３を一対の係止部４１Ｄで上方に移動させて一対の給電端子３３Ａを第１部材２６の上面２６Ａから突出させない収納位置（図５（Ａ）参照）に移動できる。
【００２３】
一対の給電端子３３Ａは、一対の端子ばね３３の各先端部にそれぞれ設けられている。一対の端子ばね３３の基端部３３Ｂがコネクタ３９に接続されている。コネクタ３９は第１部材２６に設けられている。
よって、一対の給電端子３３Ａは、一対の端子ばね３３およびコネクタ３９を介して第１部材２６に設けられている。
一対の給電端子３３Ａは、充電位置（図５（Ｂ）参照）に配置された状態において、一対の充電端子２２に接触可能な端子である。
【００２４】
図６〜図８に示すように、一対の突部３５は、一対の給電端子３３Ａ間に配置された状態で第１部材２６の上面２６Ａに一体に形成されるとともに、上面２６Ａから第２部材２７に向けて突出されている（図５（Ａ）参照）。
一対の突部３５は、各突起の輪郭形状が先端に向かう先細りに形成されることにより、第１筐体１２の幅方向に内外の斜面３５Ａ，３５Ｂ（図７参照）が形成されるとともに、第１筐体１２の長手方向に前後の斜面３５Ｃ，３５Ｄ（図８参照）が形成されている。
斜面３５Ｄと上面２６Ａとの間には、上面２６Ａに対して略垂直な起立面３５Ｅが設けられている。
【００２５】
この一対の突部３５は、第１筐体１２が一対の第１接触部４４に当接された状態（すなわち、第１筐体１２が充電位置に配置された状態）において、開口縁２３内に入り込む位置に設けられている。これにより、電子機器１１が電子機器用充電アダプタから引き抜かれる方向の力（より厳密には、第１接触部４４と第２接触部４８との間から引き抜かれる方向の力）が加わった場合であっても突部３５が開口縁２３に当接するので、電子機器１１がアダプタから脱落してしまうことを防止できる。
【００２６】
この一対の突部３５は、第１筐体１２が一対の第１接触部４４に当接された状態（すなわち、第１筐体１２が充電位置に配置された状態）において、一対の凹部２１の開口縁２３のうち内縁部２３Ａに内斜面３５Ａが接触可能（図７参照）で、かつ後縁部２３Ｄに後斜面３５Ｄが接触可能に形成されている。
【００２７】
なお、第１実施形態において、内縁部２３Ａに対して内斜面３５Ａが接触しない形態を例示したが、本発明においては一対の開口縁２３のうち各内縁部２３Ａに一対の内斜面３５Ａをそれぞれ接触させることができる。
この場合、一対の内縁部２３Ａに一対の内斜面３５Ａをそれぞれ接触させることにより、第１筐体１２の幅方向からの案内を確実に行うことができる。このような電子機器用充電アダプタ１０は、一部を透視性材料により形成せずとも正確な位置に電子機器１１を配置することができ、充電端子および給電端子の接触不良が生じる虞れが少ない。なお、第１筐体１２が充電位置に配置された場合に一対の内縁部２３Ａに一対の内斜面３５Ａが接触しない構成であったとしても、ある程度の幅方向からの大まかな案内を行うことができる。従って、位置決めの観点からも、本実施の形態のような位置に突部３５を設けることは、有益である。
【００２８】
加えて、一対の開口縁２３のうち各後縁部２３Ｄに一対の後斜面３５Ｄを接触させることにより、電子機器１１が電子機器用充電アダプタから引き抜かれる方向への抜け止めを行える。
【００２９】
さらに、一対の突部３５に内斜面３５Ａを形成することにより、一対の開口縁２３のうち各内縁部２３Ａを正規の充電位置に誘い込むことが可能になる。
これにより、一対の内斜面３５Ａを一対の内縁部２３Ａに良好に接触できるので、一対の突部３５に対して一対の開口縁２３に幅方向のずれがある場合でも、一対の突部３５で一対の開口縁２３を確実に位置決めできる。
【００３０】
加えて、一対の突部３５に後斜面３５Ｄを形成することにより、一対の開口縁２３のうち各後縁部２３Ｄを正規の充電位置に誘い込むことが可能になる。
これにより、一対の後斜面３５Ｄを一対の後縁部２３Ｄに良好に接触できるので、一対の突部３５に対して一対の開口縁２３に前後方向のずれがある場合でも、一対の突部３５で一対の開口縁２３を確実に案内できる。
【００３１】
これにより、一対の充電端子２２および一対の給電端子３３Ａの相対的な案内を行うことができるので充電池１４への充電を確実容易に行うことができる。
従って、一対の充電端子２２および一対の給電端子３３Ａの相対的な位置決めを目視で確認することなく確実に行うことができ、取り扱いの容易化を図ることができる。
【００３２】
図３に示すように、ガイド部３７は、第１部材２６に着脱自在に設けられ（図１（Ｂ）も参照）、第１筐体１２を充填位置に案内可能な部材である。
このガイド部３７は、底部３７Ａの略中央に設けられた隆起部５１と、底部３７Ａに設けられた一対の取付片５２と、底部３７Ａに設けられたガイド片５３とを有する。
一対の取付片５２は、第１部材２６の一対の側部２６Ｂに設けられた各ガイド溝５４（奥側のガイド溝５４は図示せず）にそれぞれ挿入させることにより係止可能に形成されている。
【００３３】
一対の取付片５２を一対のガイド溝５４にそれぞれ挿入させて係止し、隆起部５１を第１部材２６の下面に当接させることにより、第１部材２６に着脱自在に設けられる。
この状態において、ガイド片５３が第１部材の一方の側部２６Ｂに対して所定間隔をおいて平行に配置されている。
このガイド片５３は、第１筐体１２を充電位置に配置する際に、第１筐体１２の側面１２Ｄに当接して、第１筐体１２を充電位置に案内する部材である。
ガイド片５３で第１筐体１２を充電位置に案内することにより第１筐体１２を充電位置に一層確実に位置決めできる。
【００３４】
さらに、ガイド部３７を第１部材２６に着脱自在に設けることにより、ガイド部３７を電子機器１１の機種に合わせて交換できる。特に、充電端子の位置は機種のデザイン等に応じてそれぞれ異なることが多いので、ガイド部３７の交換によって多様な機種に対応できるようにすることは有用である。
【００３５】
次に、第２実施形態の電子機器用充電アダプタ６０を図９に基づいて説明する。なお、第２実施形態の電子機器用充電アダプタ６０において第１実施形態の電子機器用充電アダプタ１０と同一・類似部材については同じ符号を付して説明を省略する。
【００３６】
（第２実施形態）
図９に示すように、本発明の第２実施形態である電子機器用充電アダプタ６０は、第１実施形態の第２接触部４８に代えて第２接触部６２を備えたもので、その他の構成は第１実施形態の電子機器用充電アダプタ１０と同様である。
【００３７】
第２接触部６２は、第２部材２７の先端部２７Ａに一体に設けられることにより、一対の第１接触部４４に対向する位置に配置されている。
この第２接触部６２は、側面視略円弧状に形成され、第２部材２７の幅方向に延びた略蒲鉾状の弾性部材である。
第２接触部６２を略蒲鉾状に形成することで、第１筐体１２を充填位置（図９に示す位置）に配置した状態において、第１筐体１２の表面１２Ａに良好に当接させることができる。
一方、第１筐体１２を充填位置から除去した状態において、一対の第１接触部４４に良好に当接させることができる。
【００３８】
第２実施形態の電子機器用充電アダプタ６０によれば、第２接触部６２を第２部材２７の先端部２７Ａに一体に設けることにより構成の簡素化を図ることができ、かつ、第１実施形態の電子機器用充電アダプタ１０と同様の効果を得ることができる。
【００３９】
なお、本発明に係る電子機器用充電アダプタ１０は、前述した第１実施形態および第２実施形態に限定されるものではなく適宜変更、改良等が可能である。
例えば、第１実施形態および第２実施形態では、ガイド部３７を第１部材２６に着脱自在に設けた例について説明したが、これに限らないで、第１部材２６に一体に設けることや、第２部材２７に着脱自在にまたは一体に設けることも可能である。
【００４０】
また、第１実施形態および第２実施形態では、一対の給電端子３３Ａを突没可能に構成した例について説明したが、これに限らないで、一対の給電端子３３Ａを突出させた状態に固定するように構成することも可能である。
【００４１】
さらに、第１実施形態および第２実施形態では、一対の凹部２１の開口縁２３のうち内縁部２３Ａに一対の内斜面３５Ａを接触可能とする例について説明したが、これに限らないで、一対の外縁部２３Ｂに一対の外斜面３５Ｂを接触させるように構成しても同じ効果を得ることができる。
また、第１実施形態および第２実施形態では、一対の凹部２１の開口縁２３のうち後縁部２３Ｄに一対の後斜面３５Ｄを接触可能とする例について説明したが、これに限らないで、一対の前縁部２３Ｃに一対の前斜面３５Ｃを接触させるように構成しても同じ効果を得ることができる。
【００４２】
さらに、第１実施形態、第２実施形態で使用した電子機器用充電アダプタ、電子機器、第１筐体、充電池、凹部、充電端子、凹部の開口縁、第１部材、第２部材、付勢部材、第３部材、給電端子、突部、ガイド部、第１接触部、第２接触部等の形状や構成は例示したものに限定するものではなく適宜変更が可能である。
【００４３】
また、上記の第１実施形態及び第２実施形態では、突部３５は一対設けられていたが、これに限られるものではない。抜け止めのためであれば、突部３５は１つだけであってもよい。ただし、突部３５の数と凹部２１の数が不一致の場合、他の方法で位置決めを行わなければ、突部３５が本来等接すべき凹部の開口縁と違う側の凹部に開口縁に当接する恐れがある。そのため、凹部２１が２以上ある電子機器に対する位置決めにも用いる場合には、突部３５の数は２以上であることが望ましい。なお、この場合でも突部３５と凹部の数が同一である必要はない。複数ある凹部のうちの両端に配置された凹部に突部３５が当接するような配置で突部３５を設ければ、誤った凹部に突部３５を当接させてしまう恐れは少なくなる。すなわち、位置決めに用いる場合であっても、突部３５の数は最低２つあれば通常は十分である。
【００４４】
また、上記の第１実施形態および第２実施形態では、突部３５は、給電端子の内側に設けられていたが、これに限られるものではない。突部３５を給電端子の外側に設けたり、一方の突部を給電端子の内側に、他方を外側に設けるような構成であってもよい。すなわち、突部３５は、電子機器１１が電子機器用充電アダプタから引き抜かれる方向の力が加わった場合であっても突部３５が開口縁２３に当接する位置に配置されていれば、どのような位置に配置されていても構わない。ここで、上述した第１実施形態および第２実施形態では引き抜かれる方向の力としては電子機器用充電アダプタの長手方向の力を想定して説明している。しかし、第１実施形態および第２実施形態の突部３５は、電子機器１１を電子機器用充電アダプタから他の方向に向けて引き抜く場合でも、突部３５のいずれかの側面が凹部２１のいずれかの縁部に当接することは上述した各実施の形態および図面から明らかである。
【００４５】
また、上記の第１実施形態および第２実施形態では、電子機器１１の例としてスライド型の電子機器を記載していた。しかし、これに限られるものではない。第１実施形態および第２実施形態にて説明した技術は、折り畳み式の電子機器（複数の方向に開閉するものを含む）、首振り形状の電子機器、ストレート型の電子機器など、電子機器の形状を問わずに適用できる。また、上記の第１実施形態および第２実施形態では、第１筐体のみを電子機器用充電アダプタに挟む構成を例に説明したが、これに限られるものではない。第１筐体および第２筐体の両方を電子機器用充電アダプタに挟む構成であってもよい。
【符号の説明】
【００４６】
１０，６０  電子機器用充電アダプタ
１１  電子機器
１２  第１筐体（筐体）
１２Ａ  第１筐体の表面
１２Ｂ  第１筐体の裏面
１２Ｃ  第１筐体の端面
１２Ｄ  第１筐体の側面
１４  充電池
２１  凹部
２２  充電端子
２３  凹部の開口縁
２６  第１部材
２７  第２部材
２８  付勢部材
３１  第３部材
３３Ａ  給電端子
３５  突部
３７  ガイド部
４４  第１接触部
４８，６２  第２接触部
Ｔ１，Ｔ２  厚み寸法
【図１】
2011228164.tif 000003
【図２】
2011228164.tif 000004
【図３】
2011228164.tif 000005
【図４】
2011228164.tif 000006
【図５】
2011228164.tif 000007
【図６】
2011228164.tif 000008
【図７】
2011228164.tif 000009
【図８】
2011228164.tif 000010
【図９】
2011228164.tif 000011